(57)【特許請求の範囲】
【請求項１】
雨水を雨水本管に排出する雨水排出システムであって、
雨水を導入する導入口および雨水を排出する排出口が形成され、地中に埋設される雨水槽と、
雨水を導く第１の管路が接続された流入口と、第２の管路を介して前記雨水槽の前記導入口に接続された流出口と、前記流入口および前記流出口の底部よりも下方に延びる泥溜め部とを有する第１のますと、
第３の管路を介して前記雨水槽の前記排出口に接続された流入口と、第４の管路を介して前記雨水本管に接続された流出口と、雨水の流れを絞るオリフィス部とを有し、地中に埋設される第２のますと、を備え、
前記第２のますには、前記流入口および前記流出口の底部よりも下方に延びる泥溜め部が形成されておらず、
前記第２のますの底部は、前記流入口および前記流出口の底部と実質的に段差がないように連続している、雨水排出システム。
【請求項２】
前記第１のますは、前記流入口および前記流出口の底部よりも下方に延びる有底円筒状の底部と、当該底部に着脱自在に挿入された前記泥溜め部としてのバケットとを備え、
前記第２のますはバケットを備えていない、請求項１に記載の雨水排出システム。
【請求項３】
前記第２のますは、前記流入口および前記流出口が形成されたます本体と、前記オリフィス部として前記ます本体に着脱自在に取り付けられたオリフィス部材とを有している、請求項１または２に記載の雨水排出システム。
【請求項４】
前記第２のますの上部を塞ぐ孔が形成されていない蓋を備えている、請求項１〜３のいずれか一つに記載の雨水排出システム。
【請求項５】
前記第２のますの前記流入口および前記流出口よりも高い位置に、第５の管路を介して側溝に接続されるオーバーフロー口が形成されている、請求項１〜４のいずれか一つに記載の雨水排出システム。
【請求項６】
前記第１のますはフィルターを備えている、請求項１〜５のいずれか一つに記載の雨水排出システム。
【発明の詳細な説明】
【技術分野】
【０００１】
本発明は、雨水を雨水本管に排出する雨水排出システムに関する。
【背景技術】
【０００２】
従来から、例えば、集中豪雨時において、宅地内から宅地外の雨水本管へ大量の雨水が流出してしまうことを抑制するために、地中に埋設された雨水貯留槽または雨水浸透槽（なお、本明細書ではこれらを「雨水槽」と総称することとする。）を備えた雨水排出システムが利用されている（例えば、下記特許文献１参照）。
【０００３】
図７に、従来の雨水排出システムの一例を示す。この雨水排出システムは、地中に埋設された雨水浸透槽１０１と、雨水浸透槽１０１の上流側に設置されたます１０２と、雨水浸透槽１０１の下流側に設置されたます１０３とを備えている。ます１０２は、管１５１を介して雨水浸透槽１０１の導入口に接続されている。ます１０２の内部にはフィルター１０４が設けられている。ます１０３の流入口１０３ａは、管１５２を介して雨水浸透槽１０１の排出口に接続されている。ます１０３の流出口１０３ｂは、管１５３等を介して雨水本管２００に接続されている。雨水浸透槽１０１から雨水本管２００に大量の雨水が急激に流れ込まないように、ます１０３の内部には、雨水の流れを絞るオリフィス部材１０５が設けられている。また、ます１０３にはオーバーフロー口１１１，１１２が形成されている。オーバーフロー口１１１は、管１５４を介して雨水浸透槽１０１の上部に接続されている。オーバーフロー口１１２は、管１５５を介して側溝３００に接続されている。
【０００４】
ところで一般に、雨水には泥や異物（例えば枯葉等）が含まれている。しかし、このような泥や異物が雨水と一緒に雨水本管に排出されることは好ましくない。そこで、雨水と共に流入してきた泥や異物を内部に溜めるように、ます１０２の底部には、流入口１０２ａおよび流出口１０２ｂの底部よりも下方に延びた泥溜め部１０２ｃが設けられている。また、雨水浸透槽１０１の下流側に設置されたます１０３にも、流入口１０３ａおよび流出口１０３ｂの底部よりも下方に延びた泥溜め部１０３ｃが設けられている。
【０００５】
上記雨水排出システムは、例えば以下のようにして施工される。すなわち、始めに、雨水浸透槽１０１およびます１０２，１０３を設置すべき場所に、それらを収容できるだけの大きな穴１２０を掘削する。次に、その穴１２０の内部に雨水浸透槽１０１およびます１０２を設置する。次に、ます１０３を設置すべき場所に、泥溜め部１０３ｃが収まる程度の穴１２１を掘削すると共に、その周囲に砂基礎１２５を敷く。そして、穴１２１内に泥溜め部１０３ｃを挿入することにより、ます１０３を設置する。次に、砂基礎１２５の上に管１５２および管１５３を配置する。すなわち、管１５２を介して雨水浸透槽１０１とます１０３の流入口１０３ａとを接続し、雨水本管２００に接続された管１５３をます１０３の流出口１０３ｂに接続する。また、管１５４を介して雨水浸透槽１０１の上部とます１０３のオーバーフロー口１１１とを接続し、側溝３００に接続された管１５５をオーバーフロー口１１２に接続する。
【先行技術文献】
【特許文献】
【０００６】
【特許文献１】特開２００９−１５０２１５号公報
【発明の概要】
【発明が解決しようとする課題】
【０００７】
上述のように、上記雨水排出システムの施工にあたっては、雨水浸透槽１０１等を設置するための穴１２０に加えて、ます１０３を設置するための穴１２１を更に掘削する必要がある。すなわち、施工時に２段階に亘って穴を形成する必要がある。そのため、上記雨水排出システムでは、施工時の労力が大きかった。
【０００８】
また、ます１０３の泥溜め部１０３ｃには、雨水が常に残留することとなる。その結果、側溝３００等から蚊が侵入し、泥溜め部１０３ｃが蚊の幼虫、すなわちボウフラの格好の生息場所となってしまうという課題がある。
【０００９】
本発明はかかる点に鑑みてなされたものであり、その目的とするところは、従来よりも施工時の労力が軽減され、また、ボウフラの発生が抑制される雨水排出システムを提供することにある。
【課題を解決するための手段】
【００１０】
本願発明者は、鋭意研究の結果、泥溜め部を有するますを雨水槽の上流側に設置することとすれば、雨水槽の下流側に設置するますにはほとんど泥が溜まらず、当該ますの泥溜め部を省略したとしても、実用上差し支えないという知見を得るに至った。そして、その新たな知見に基づいて、下記の発明をなすに至った。
【００１１】
本発明に係る雨水排出システムは、雨水を雨水本管に排出する雨水排出システムであって、雨水を導入する導入口および雨水を排出する排出口が形成され、地中に埋設される雨水槽と、雨水を導く第１の管路が接続された流入口と、第２の管路を介して前記雨水槽の前記導入口に接続された流出口と、前記流入口および前記流出口の底部よりも下方に延びる泥溜め部とを有する第１のますと、第３の管路を介して前記雨水槽の前記排出口に接続された流入口と、第４の管路を介して前記雨水本管に接続された流出口と、雨水の流れを絞るオリフィス部とを有し、地中に埋設される第２のますと、を備え、前記第２のますには、前記流入口および前記流出口の底部よりも下方に延びる泥溜め部が形成されておらず、前記第２のますの底部は、前記流入口および前記流出口の底部と実質的に段差がないように連続しているものである。
【００１２】
上記雨水排出システムによれば、雨水槽と雨水本管との間に介在する第２のますには、流入口および流出口の底部よりも下方に延びる泥溜め部が形成されていない。そのため、第２のますを設置する際に、泥溜め部を収容するための穴を別途掘削する必要はない。したがって、施工時に２段階に亘って穴を掘削する必要がなく、施工時の労力を軽減することができる。また、第２のますには泥溜め部がないので、第２のますにおけるボウフラの発生を抑制することができる。また、第２のますの底部に雨水がより一層残留しにくくなり、ボウフラの発生を更に抑制することができる。
【００１３】
前記雨水排出システムにおいて、前記第１のますは、前記流入口および前記流出口の底部よりも下方に延びる有底円筒状の底部と、当該底部に着脱自在に挿入された前記泥溜め部としてのバケットとを備え、前記第２のますはバケットを備えていなくてもよい。
【００１４】
このことにより、バケットを取り外すという簡単な作業によって、バケット内に溜まった泥や異物、すなわち第１のますに溜まった泥や異物を外部に容易に排出することができる。そのため、第１のますの泥溜め機能を良好に維持しやすくなるので、その分、第２のますに泥や異物が流れ込むことを抑制することができる。したがって、第２のますに泥溜め部が形成されていなくても、雨水本管に泥が流出することを抑制することができる。また、第２のますにはバケットが設けられていないので、第２のますにおいて、部品点数の削減による低コスト化を図ることができる。
【００１７】
前記第２のますは、前記流入口および前記流出口が形成されたます本体と、前記オリフィス部として前記ます本体に着脱自在に取り付けられたオリフィス部材とを有していてもよい。
【００１８】
このことにより、ます本体からオリフィス部材を容易に取り外すことができるので、オリフィス部材の清掃が容易となる。そのため、万が一、泥や異物が第２のますに流れ込んでオリフィス部材に付着したとしても、その泥や異物を容易に除去することができる。
【００１９】
前記雨水排出システムは、前記第２のますの上部を塞ぐ孔が形成されていない蓋を備えていることが好ましい。
【００２０】
このことにより、地上から第２のますに泥や異物が入り込むことを防止することができる。
【００２１】
前記第２のますの前記流入口および前記流出口よりも高い位置に、第５の管路を介して側溝に接続されるオーバーフロー口が形成されていてもよい。
【００２２】
このことにより、第２のますに大量の雨水が流入してきた場合に、その雨水の一部を第５の管路を介して側溝に排出することができる。そのため、第２のますにおいて、雨水が地上に溢れ出てしまうことを防止することができる。一方、第２のますは第５の管路を介して側溝と連通しているので、側溝から第２のますに蚊が侵入しやすくなる。しかし、前述の通り第２のますには泥溜め部が形成されていないので、側溝と連通しているにも拘わらず、ボウフラは発生しにくい。
【００２３】
前記第１のますはフィルターを備えていてもよい。
【００２４】
このことにより、雨水に含まれる異物は上記フィルターに捕捉され、雨水槽および第２のますに異物が流れ込むことが防止される。
【発明の効果】
【００２５】
以上のように、本発明によれば、従来よりも施工時の労力が軽減され、また、ボウフラの発生が抑制された雨水排出システムを提供することができる。
【図面の簡単な説明】
【００２６】
【図１】本発明の実施の形態に係る雨水排出システムの構成図である。
【図２】オリフィスますのます本体およびオリフィス部材の断面図である。
【図３】オリフィス部材の斜視図である。
【図４】オリフィスますのます本体に対するオリフィス部材の着脱を説明する図である。
【図５】変形例に係るオリフィスますのます本体およびオリフィス部材の断面図である。
【図６】他の変形例に係るオリフィスますのます本体およびオリフィス部材の断面図である。
【図７】従来の雨水排出システムの構成図である。
【発明を実施するための形態】
【００２７】
以下、図面を参照しながら、本発明の実施の形態について説明する。図１に示す本実施形態に係る雨水排出システム１は、宅地内で集めた雨水を宅地外の雨水本管５０に排出するものである。本実施形態の雨水排出システム１は、地中に埋設されている。雨水排出システム１は、雨水槽としての雨水浸透槽１０と、雨水浸透槽１０の上流側に設置されたフィルターます２０と、雨水浸透槽１０の下流側に設置されたオリフィスます３０とを備えている。オリフィスます３０は、雨水浸透槽１０と雨水本管５０との間に設置されている。
【００２８】
雨水浸透槽１０は、雨水を貯留すると共に、貯留した雨水の一部を地中に浸透させるものである。雨水浸透槽１０の構造は何ら限定されない。雨水浸透槽１０は、例えば、前後左右に配列されると共に上下に積層された複数の貯留材（例えば、多数の孔が形成されたブロック体等）と、それら貯留材の周囲を覆う透水シートとから構成されていてもよい。雨水浸透槽１０は、雨水を導入する導入口１１と、雨水を排出する排出口１２と、オーバーフロー口１３とを有している。導入口１１は雨水浸透槽１０の側面の上部に形成され、排出口１２は雨水浸透槽１０の側面の下部に形成されている。導入口１１および排出口１２の構造は何ら限定されない。例えば、上記透水シートに孔を形成し、それらの孔によって導入口１１および排出口１２を形成してもよい。
【００２９】
フィルターます２０は、流入口２１ａおよび流出口２１ｂが形成されたます本体２１と、ます本体２１の上部に接続された立管２２と、ます本体２１の下部に接続された有底円筒状の底部２３と、フィルター２６とを備えている。流入口２１ａには、図示しない雨樋等に接続された管５１が接続されている。流出口２１ｂは、管５２を介して、雨水浸透槽１０の導入口１１に接続されている。本実施形態では、流入口２１ａは２つ形成されている。ただし、流入口２１ａの個数は２つに限らず、１つでもよく、３つ以上であってもよい。また、流出口２１ｂの個数も特に限定される訳ではない。立管２２の上部には、蓋２４が着脱自在に嵌め込まれている。
【００３０】
フィルターます２０の底部２３は、流入口２１ａおよび流出口２１ｂの底部よりも下方に延びている。底部２３の内部には、有底円筒状のバケット２５が挿入されている。バケット２５は、フィルターます２０に流入した泥や異物を溜める泥溜め部を形成している。バケット２５は底部２３に対して着脱自在となっている。そのため、立管２２を通じてバケット２５を出し入れすることにより、バケット２５に溜まった泥を外部に容易に排出することができる。
【００３１】
フィルター２６は、ます本体２１に着脱自在に取り付けられている。図示は省略するが、フィルター２６は、網目状のフィルター本体と、フィルター本体を支持する支持体とを有している。支持体には突起が設けられ、ます本体２１には縦溝が形成されている。上記突起を上記縦溝に挿入して上下にスライドさせることにより、フィルター２６をます本体２１に着脱することができる。ただし、フィルター２６をます本体２１に着脱自在に取り付けるための構造は、何ら限定されるものではない。本実施形態ではフィルター２６はます本体２１と別体であるが、フィルター２６がます本体２１と一体化されていてもよい。フィルター２６は流出口２１ｂの内側を覆っている。そのため、雨水に混じった異物は、ます本体２１内にてフィルター２６に捕捉され、バケット２５に回収されることになる。
【００３２】
オリフィスます３０は、雨水浸透槽１０から雨水本管５０に向かって、雨水を緩やかに排出させるものである。すなわち、オリフィスます３０は、雨水浸透槽１０から雨水本管５０に向かって雨水を流出させる一方、大量の雨水が雨水本管５０に急激に流れ込まないように、雨水の流れを規制する役割を果たす。オリフィスます３０は、流入口３１ａおよび流出口３１ｂが形成されたます本体３１と、ます本体３１の上部に接続された立管３２と、雨水の流れを絞るオリフィス部材３３とを備えている。
【００３３】
オリフィスます３０の流入口３１ａは、管５３を介して雨水浸透槽１０の排出口１２に接続されている。流出口３１ｂには管５４が接続されている。管５４は、継手５５と管５６と継手５７とを介して雨水本管５０に接続されている。これらの管５４、継手５５、管５６、および継手５７は、オリフィスます３０と雨水本管５０とをつなぐ管路６１を形成している。なお、本明細書において「管路」とは、１本の管または継手等を介して接続された複数本の管等からなる流路を言う。
【００３４】
図２は、オリフィスます３０のます本体３１の縦断面図である。フィルターます２０と異なり、オリフィスます３０には泥溜め部が設けられていない。オリフィスます３０は、流入口３１ａの底部３１ａｃおよび流出口３１ｂの底部３１ｂｃよりも下方に凹んだ底部を有していないし、バケットも備えていない。ます本体３１の底部３１ｃは、流入口３１ａおよび流出口３１ｂの底部３１ａｃ，３１ｂｃと実質的に段差がないように連続している。ここで、「実質的に段差がない」とは、実用上泥を溜める機能を果たすことができる程度に下方に凹んだ段差がないことを言う。例えば、ます本体３１の成型上の理由から設けられた微小な段差や、ます本体３１の剛性を確保するために形成された微小な段差などは、実質的に段差がないものと言うことができる。また、例えば、ます本体３１の肉厚または管５３，５４の肉厚と同程度（例えば、それら肉厚の５倍以下）の段差は、実質的に段差がないものと見なすことができる。
【００３５】
ます本体３１の底部３１ｃの下側には、下方に突出する円筒状の突起３１ｄが設けられている。この突起３１ｄは、オリフィスます３０を設置面に対して安定して設置するための台座であるが、必ずしも必要なものではなく、省略することも可能である。突起３１ｄは、ます本体３１の全体に比べると非常に小さなものである。また、ます本体３１の側部から底部３１ｃに渡って、後述するオリフィス部材３３のリブ３３ｆが嵌め込まれる溝３１ｅが形成されており、溝３１ｅの外側の部分は下方に突出している。しかし、それらは十分に小さいため、実質的にます本体３１には流入口３１ａおよび流出口３１ｂの底部３１ａｃ，３１ｂｃよりも下方に延びる部分はないと言うことができる。
【００３６】
次に、オリフィス部材３３について説明する。オリフィス部材３３は、ます本体３１に着脱自在に装着されている。図３に示すように、オリフィス部材３３は、フランジ部３３ａと、先端側に行くほど内径が小さくなる絞り部３３ｂと、把手３３ｃとを有している。フランジ部３３ａは、ます本体３１の内側の形状に沿うように、平面視略円弧状に湾曲している。図２に示すように、オリフィス部材３３がます本体３１に装着された状態では、流出口３１ｂはフランジ部３３ａによって覆われる。絞り部３３ｂの先端には入口側の流通口３３ｄが形成され、絞り部３３ｂの根元には出口側の流通口３３ｅ（図２参照）が形成されている。出口側の流通口３３ｅは流出口３１ｂの内径と略同一であるが、入口側の流通口３３ｄは出口側の流通口３３ｅよりも小さくなっている。
【００３７】
図３に示すように、フランジ部３３ａにはリブ３３ｆが設けられている。リブ３３ｆは、フランジ部３３ａの左側面、下面、および右側面に渡って延びている。図４に示すように、ます本体３１には、リブ３３ｆが嵌め込まれる溝３１ｅが形成されている。リブ３３ｆが溝３１ｅに嵌め込まれることによって、オリフィス部材３３はます本体３１に取り付けられる（図２参照）。図３に示すように、フック５を把手３３ｃに引っ掛け、フック５を上方に持ち上げることにより、オリフィス部材３３をます本体３１から容易に取り外すことができる。逆に、把手３３ｃに引っ掛けたフック５を降ろすことにより、オリフィス部材３３をます本体３１に容易に取り付けることができる。
【００３８】
図１に示すように、立管３２の上部には、蓋３４が嵌め込まれている。地上からオリフィスます３０内に異物が落下しないように、蓋３４には孔が形成されていない。蓋３４はいわゆる密閉蓋である。
【００３９】
立管３２の側面の上部には、オーバーフロー口３２ａおよび３２ｂが形成されている。オーバーフロー口３２ａには、雨水浸透槽１０の上部に接続された管５８が接続されている。オーバーフロー口３２ｂは、管５９を介して側溝６０に接続されている。集中豪雨時などの際に雨水浸透槽１０に大量の雨水が貯留されると、オリフィスます３０の水位が上昇する。すると、雨水浸透槽１０の雨水の一部は、管５８およびオーバーフロー口３２ａを通じてオリフィスます３０に流入し、オリフィスます３０内の雨水の一部は、オーバーフロー口３２ｂおよび管５９を通じて側溝６０に排出される。そのため、雨水浸透槽１０に雨水を貯留することができなくなってフィルターます２０から雨水が溢れ出したり、オリフィスます３０から地上へ雨水が溢れ出すこと等は防止される。
【００４０】
なお、図１に示すように、本実施形態に係る雨水排出システム１では、オリフィスます３０には、雨水浸透槽１０の底面１０ａよりも低い位置に配置される部分は存在しない。オリフィスます３０の全体は、雨水浸透槽１０の底面１０ａよりも高い位置に配置されている。オリフィスます３０は、人が入ることができない程度の大きさに形成されている。
【００４１】
次に、雨水排出システム１の施工方法について説明する。始めに、雨水浸透槽１０、フィルターます２０、およびオリフィスます３０を設置するために必要な大きさの穴７０（図１参照）を掘削する。
【００４２】
次に、雨水浸透槽１０を設置する。例えば、雨水浸透槽１０が複数の貯留材と透水シートとから構成される場合、穴７０の底面に透水シートを敷いた後、その透水シートの上に貯留材を配列する。所定数の貯留材を前後、左右、および上下に配列した後、それらを透水シートで覆う。これにより、雨水浸透槽１０が形成される。次に、雨水浸透槽１０の透水シートの所定箇所に孔を空け、導入口１１、排出口１２、およびオーバーフロー口１３を形成する。
【００４３】
次に、フィルターます２０を設置し、フィルターます２０の流出口２１ｂと雨水浸透槽１０の導入口１１とを管５２で接続する。
【００４４】
次に、オリフィスます３０を設置する。本実施形態では、オリフィスます３０は流入口３１ａおよび流出口３１ｂよりも下方に延びる底部が存在しないので、オリフィスます３０の設置に際して、穴７０の一部を更に深掘りする必要はない。したがってまず、穴７０の一部を更に掘削することなく、オリフィスます３０を設置する予定の箇所に砂基礎７５を敷き、その砂基礎７５の上にオリフィスます３０を配置する。次に、オリフィスます３０に各配管を接続する。すなわち、オリフィスます３０の流入口３１ａと雨水浸透槽１０の排出口１２とを管５３で接続し、管５４等を介してオリフィスます３０の流出口３１ｂを雨水本管５０に接続する。なお、通常、雨水浸透槽１０等の設置に先だって、管５６および継手５５が予め設置されていることが多い。このような場合には、管５４の一端を継手５５に接続し、他端をオリフィスます３０の流出口３１ｂに接続することにより、オリフィスます３０を雨水本管５０に接続することができる。次に、管５８を介してオーバーフロー口３２ａと雨水浸透槽１０のオーバーフロー口１３とを接続し、管５９を介してオーバーフロー口３２ｂと側溝６０とを接続する。
【００４５】
以上により、オリフィスます３０の設置が完了する。その後、穴７０を埋めることにより、雨水排出システム１の全体の施工が完了する。
【００４６】
なお、上述の施工方法は、雨水排出システム１の施工方法の一例に過ぎず、施工の順番等は特に限定される訳ではない。例えば、オリフィスます３０に対する管５３，５４，５８，５９の施工順序は上述の順序に限らず、適宜に変更することができる。また、上述の説明では、フィルターます２０の設置後にオリフィスます３０を設置することとしたが、フィルターます２０の設置前にオリフィスます３０を設置してもよく、フィルターます２０とオリフィスます３０とを同時に設置してもよい。また、フィルターます２０またはオリフィスます３０を雨水浸透槽１０の設置前に設置することとしてもよい。
【００４７】
以上のように、本実施形態に係る雨水排出システム１によれば、オリフィスます３０は、流入口３１ａおよび流出口３１ｂの底部３１ａｃ，３１ｂｃよりも下方に延びる泥溜め部を備えていない。そのため、オリフィスます３０を設置する際に、穴７０の他に、泥溜め部を収容するための穴を別途掘削する必要がない。したがって、従来よりも施工時の労力を軽減することができる。
【００４８】
また、オリフィスます３０にはオーバーフロー口３２ｂが形成され、オーバーフロー口３２ｂは管５９を介して側溝６０と接続されている。そのため、オリフィスます３０に過剰な雨水が流れ込んだときに、その過剰な雨水を側溝６０に排出することができる。したがって、雨水がオリフィスます３０から地上へ溢れ出ることを防止することができる。一方、オリフィスます３０が側溝６０と連通していることから、側溝６０からオリフィスます３０に蚊が侵入しやすくなる。しかし、オリフィスます３０は泥溜め部を備えていないので、オリフィスます３０において、ボウフラの格好の生息場所となるような場所、すなわち、ボウフラの生息場所となる程度の量の雨水が常時残留するような場所は存在しない。特に本実施形態では、オリフィスます３０の底部３１ｃは、流入口３１ａおよび流出口３１ｂの底部３１ａｃ，３１ｂｃと実質的に段差がないように連続している。よって、オリフィスます３０において、雨水が常に残留するような場所は実質的に存在しない。したがって、雨水排出システム１によれば、ボウフラの発生を抑制することができる。
【００４９】
フィルターます２０には、着脱自在なバケット２５が設けられている。そのため、バケット２５を取り外し、バケット２５内に溜まった泥等を外部に排出することによって、フィルターます２０を容易にメンテナンスすることができる。したがって、フィルターます２０の泥溜め機能を良好に維持しやすくなり、ひいては、オリフィスます３０に泥が流れ込むことを十分に抑制することができる。一方、オリフィスます３０には泥溜め部が形成されていないので、フィルターます２０と異なり、オリフィスます３０にはバケットが設けられていない。そのため、オリフィスます３０において、部品点数の削減による低コスト化が図られる。
【００５０】
本実施形態では、オリフィスます３０のオリフィス部材３３は、ます本体３１に対して着脱自在に取り付けられている。そのため、オリフィス部材３３をます本体３１から容易に取り外すことができるので、オリフィス部材３３の清掃が容易である。したがって、万が一、泥や異物がオリフィスます３０に流れ込んでオリフィス部材３３に付着したとしても、オリフィス部材３３をます本体３１から取り外して清掃することにより、泥や異物を容易に取り除くことができる。したがって、オリフィスます３０の本来の機能を良好に維持することができる。
【００５１】
本実施形態では、オリフィスます３０の立管３２は、孔が形成されていない蓋３４によって塞がれている。仮に蓋３４に孔が形成されているとすると、その孔を通じて地上からオリフィスます３０の内部に泥や異物が浸入するおそれがある。ところが本実施形態によれば、蓋３４には孔が形成されていないので、地上からオリフィスます３０の内部に泥や異物が浸入するおそれがない。
【００５２】
なお、本実施形態では、雨水浸透槽１０の上流側に設置されたますは、フィルター２６を備えたフィルターます２０である。しかし、雨水浸透槽１０の上流側に設置されるますは、フィルターます２０に限定される訳ではなく、フィルターを備えていないますであってもよい。ただし、雨水浸透槽１０の上流側に設置されるますがフィルターます２０であれば、雨水に含まれる異物（例えば、枯葉等）はフィルターます２０のフィルター２６に捕捉され、雨水浸透槽１０ひいてはオリフィスます３０に流れ込むことが防止される。したがって、雨水浸透槽１０の上流側に設置されるますは、フィルターます２０であることが好ましい。
【００５３】
前記実施形態では、オリフィス部材３３は流入口３１ａと流出口３１ｂとの間に配置されていた（図２参照）。しかし、オリフィス部材３３の位置は何ら限定されない。例えば図５に示すように、オリフィス部材３３は、その一部が流出口３１ｂの外側に位置するように配置されていてもよい。図５に示す変形例では、オリフィス部材３３は、筒状体３５と、筒状体３５の内部に固定された絞り部３３ｂとを備えている。絞り部３３ｂの構成は前記実施形態と同様であるので、その説明は省略する。筒状体３５の外径は管５４の内径と略等しい。筒状体３５は、流出口３１ｂおよび管５４の内部に嵌め込まれている。筒状体３５の一端には、半径方向の外側に向かって広がったフランジ部３５ａが形成されている。フランジ部３５ａが流出口３１ｂの内側端に当接することにより、オリフィス部材３３が雨水と共に下流側に流れていくことが防止されている。
【００５４】
本変形例では、ます本体３１の底部３１ｃと流入口３１ａの底部３１ａｃとの間には段差Ｓ１が形成され、ます本体３１の底部３１ｃと流出口３１ｂの底部（厳密には、筒状体３５の底部）との間には段差Ｓ２が形成されている。しかし、図５から明らかなように、これら段差Ｓ１，Ｓ２は、ます本体３１の肉厚や管５３，５４の肉厚と同程度（厳密には、それら肉厚の２〜３倍程度）の段差に過ぎない。したがって、それらの段差Ｓ１，Ｓ２が存在することによって、施工の際にオリフィスます３０の底部を収容するための穴を別途掘削する必要が生じたり、あるいは、ボウフラの格好の生息場所となるような泥溜め部が形成される訳ではない。
【００５５】
したがって、本変形例においても、従来よりも施工時の労力を軽減することができ、また、ボウフラの発生を抑制することができる。なお、図５では、立管３２の蓋の図示は省略しているが、本変形例においても、立管３２には孔が形成されていない蓋３４（図１参照）が着脱自在に嵌め込まれる。
【００５６】
図６に示すように、オリフィス部材３３を流入口３１ａ側に配置することも可能である。オリフィス部材３３の構成は上述の通りであるので、その説明は省略する。図６に示す変形例においても、従来よりも施工時の労力を軽減することができ、また、ボウフラの発生を抑制することができる。
【００５７】
前記実施形態では、雨水槽は、貯留した雨水の一部を地中に浸透させる雨水浸透槽１０であった。しかし、雨水槽は雨水浸透槽１０に限定されず、雨水を地中に浸透させずに貯留する雨水貯留槽であってもよい。
【００５８】
前記実施形態では、雨水浸透槽１０およびオリフィスます３０にオーバーフロー口１３，３２ａが形成され、それらが管５８を介して接続されていた。また、オリフィスます３０には他のオーバーフロー口３２ｂが形成され、オーバーフロー口３２ｂは管５９を介して側溝６０に接続されていた。しかし、オーバーフロー口１３，３２ａ，３２ｂは必ずしも必要ではなく、省略することも可能である。
【符号の説明】
【００５９】
１      雨水排出システム
１０    雨水浸透槽（雨水槽）
１１    導入口
１２    排出口
２０    フィルターます（第１のます）
２１ａ  流入口
２１ｂ  流出口
２５    バケット（泥溜め部）
３０    オリフィスます（第２のます）
３１ａ  流入口
３１ｂ  流出口
３１ｃ  底部
３２ｂ  オーバーフロー口
３３    オリフィス部材
３４    蓋
５０    雨水本管
５１    管（第１の管路）
５２    管（第２の管路）
５３    管（第３の管路）
５９    管（第５の管路）
６０    側溝
６１    管路（第４の管路）
【図１】
0005457936.tif 000002
【図２】
0005457936.tif 000003
【図３】
0005457936.tif 000004
【図４】
0005457936.tif 000005
【図５】
0005457936.tif 000006
【図６】
0005457936.tif 000007
【図７】
0005457936.tif 000008